(57)【要約】【課題】意匠性を損なうことなく簡単な構成で防水構造を備えた照明器具を提供する。【解決手段】ＬＥＤ１０４を内部に備える筒状の本体１０６と、カバ−開口部１２２を有する茶筒蓋形状のカバー１０８であって、本体１０６の本体下面１１５近傍であってＬＥＤ１０４の照射方向側の本体下面１１５近傍に被せるカバー１０８とを備え、本体１０６は、本体下面１１５近傍のカバ−側面１１６の外周に形成された環状の本体溝部１１２を備え、カバー１０８は、カバ−開口部１１２を形成するカバ−周縁部１２２ａからカバ−周縁部１２２ａの内周に突き出した環状のカバ−突出部１１３であって、本体下面１１５近傍の本体端部に被せた場合に、本体溝部１１２と係合するとともに本体溝部１１２を充填するカバ−突出部１１３を備える。【選択図】図３
2012033356.tif 000002
【特許請求の範囲】
【請求項１】
光源を内部に備える筒状の本体と、
開口を有する茶筒蓋形状のカバーであって、前記本体の本体端部であって前記光源の照射方向側の本体端部に被せるカバーとを備え、
前記本体は、前記本体端部の近傍の側面の外周に形成された環状の溝部を備え、
前記カバーは、前記開口を形成する周縁部から前記周縁部の内周に突き出した環状の突出部であって、前記本体端部に被せた場合に前記溝部と係合するとともに前記溝部を充填する突出部を備える
ことを特徴とする照明器具。
【請求項２】
前記カバーは、弾性体で形成されていることを特徴とする請求項１に記載の照明器具。
【請求項３】
前記突出部は、前記カバーと一体形成されていることを特徴とする請求項１または２に記載の照明器具。
【請求項４】
前記本体は、前記側面の外周にわたって連続して形成された断面Ｖ字状の前記溝部を備え、
前記カバーは、前記周縁部の内周にわたって連続して形成された断面半円状の前記突出部を備えることを特徴とする請求項１〜３のいずれかに記載の照明器具。
【請求項５】
前記カバーは、側壁を備え、前記側壁から前記光源の照射方向側に延設されたカバー延設部を備えることを特徴とする請求項１〜４のいずれかに記載の照明器具。
【請求項６】
前記本体は、前記光源の発する光を第１の変換方法により変換して通過させる第１の光変換部を前記本体端部の近傍に備え、
前記カバーは、前記第１の光変換部を通過した光を前記第１の変換方法とは異なる第２の変換方法により変換して通過させる第２の光変換部を備える
ことを特徴とする請求項１〜５のいずれかに記載の照明器具。
【発明の詳細な説明】
【技術分野】
【０００１】
本発明は、防水構造を備えた照明器具であって、ＬＥＤ（Ｌｉｇｈｔ・Ｅｍｉｔｔｉｎｇ・Ｄｉｏｄｅ：発光ダイオード）を光源とする照明器具に関する。
【背景技術】
【０００２】
従来、照明器具において、光源部分を覆う軟質のカバーは存在するが防水性はない（特許文献１参照）。また、防水構造の照明器具とする場合には、パッキン等の別部品が必要である（特許文献２参照）。
【先行技術文献】
【特許文献】
【０００３】
【特許文献１】特開平０９−０５５１０８号公報
【特許文献２】特開平０８−３１５６０９号公報
【発明の概要】
【発明が解決しようとする課題】
【０００４】
パッキン等を用いた防水構造の照明器具では、パッキン等の別部品が必要となり、部品点数が多くなってしまう。また、カバー等にパッキンを取り付けるための取付ネジ等が外部へ露出し、意匠性に影響する。また、取付ネジ等が外部に露出しないようにすると構造が複雑となり、コストアップの要因となってしまう。
【０００５】
本発明は、例えば、上記のような課題を解決するためになされたものであり、簡単な構造で意匠性を損なうことのない防水構造の照明器具を提供することを目的とする。
【課題を解決するための手段】
【０００６】
本発明に係る照明器具は、
光源を内部に備える筒状の本体と、
開口を有する茶筒蓋形状のカバーであって、前記本体の本体端部であって前記光源の照射方向側の本体端部に被せるカバーとを備え、
前記本体は、前記本体端部の近傍の側面の外周に形成された環状の溝部を備え、
前記カバーは、前記開口を形成する周縁部から前記周縁部の内周に突き出した環状の突出部であって、前記本体端部に被せた場合に前記溝部と係合するとともに前記溝部を充填する突出部を備えることを特徴とする。
【発明の効果】
【０００７】
本発明に係る照明器具は、光源を内部に備える筒状の本体と、開口を有する茶筒蓋形状のカバーであって、前記本体の本体端部であって前記光源の照射方向側の本体端部に被せるカバーとを備え、前記本体は、前記本体端部の近傍の側面の外周に形成された環状の溝部を備え、前記カバーは、前記開口を形成する周縁部から前記周縁部の内周に突き出した環状の突出部であって、前記本体端部に被せた場合に前記溝部と係合するとともに前記溝部を充填する突出部を備えているので、簡単な構造で意匠性を損なうことのない防水構造の照明器具を提供することができるという効果を奏する。
【図面の簡単な説明】
【０００８】
【図１】実施の形態１に係る照明器具１００の斜視図である。
【図２】実施の形態１に係る照明器具１００の断面図である。
【図３】実施の形態１に係る照明器具１００の分解断面図である。
【図４】実施の形態１に係る本体１０６とカバー１０８との取付部分の斜視図である。
【図５】実施の形態１に係る本体１０６とカバー１０８との取付部分の断面図であり、本体１０６とカバー１０８との取付方法を示す図である。
【図６】実施の形態２に係る本体溝部１１２の断面形状のバリエーションを示す図である。
【図７】実施の形態３に係る照明器具１００ａの正面図であり、（ａ）はカバー１０８を取り外した状態の図、（ｂ）はカバー１０８を取り付けた状態の図である。
【発明を実施するための形態】
【０００９】
実施の形態１．
以下、本実施の形態について、図を用いて説明する。
【００１０】
図１は、実施の形態１に係る照明器具１００の斜視図である。図２は、実施の形態１に係る照明器具１００の断面図である。図３は、実施の形態１に係る照明器具１００の分解断面図である。図１〜図３を用いて、実施の形態１に係る照明器具１００の構成について説明する。
【００１１】
本実施の形態では、防水構造を備える照明器具１００について説明する。照明器具１００は、本体１０６、カバー１０８、フランジ１０２を備えている。本体１０６は、本体側面１１６を有する円柱形、円筒形であり、例えば、茶筒本体形状、お櫃本体形状である。本体１０６は、後述するＬＥＤ１０４の照射方向側に本体下面１１５を有する。
【００１２】
カバー１０８は、カバー側壁１２１とカバー下面１１４とが一体形成されている蓋形状である。カバー１０８は、例えば、茶筒蓋形状（図１参照）、お櫃蓋形状（図１参照）である。カバー１０８は、カバー下面１１４から照射方向側に延設（形成）されたカバー延設部１２５を備えていてもよい（図２、図３参照）。カバー１０８の照射方向側の開口をカバー下面開口１２４とする。カバー１０８の照射方向側の反対側の開口をカバー開口部１２２とする。
【００１３】
カバー側壁１２１とカバー下面１１４とカバー延設部１２５とは一体形成されている。カバー延設部１２５はなくてもかまわない。図１に示すカバー１０８は、カバー延設部１２５が無い場合の形状である。照明器具１００は、本体１０６にカバー１０８を被せて装着すると、円柱形、円筒形となり、例えば、茶筒型、お櫃型の形状となる。
【００１４】
図２、図３に示すように、本体１０６は、本体側面１１６、天面板１０９、天面防水パッキン１１０を備えた筒状（茶筒本体形状）である。本体１０６の天面板１０９側の端面１１９は、開口している。天面板１０９側の端面１１９の開口は、円盤状の天面板１０９により塞がれる。天面防水パッキン１１０は、環状であり、天面板１０９と端面１１９の周縁とにより挟まれて取り付けられる。天面板１０９は、天面防水パッキン１１０を挟んだ状態でネジ１１１により端面１１９の周縁に取り付けられるので、端面１１９における天面板１０９の取付部分は防水構造となる。
【００１５】
図２、図３に示すように、本体１０６は、本体側面１１６に、壁面等の取付面に照明器具１００を取り付けるための取付板１０１、フランジ１０２を備えている。フランジ１０２は、本体側面１１６に沿って、例えば、ネジ（図示なし）により本体１０６に取り付けられる。取付板１０１は、フランジ１０２にネジ１０２ａにより取り付けられるとともに壁面にもネジ（図示なし）により取り付けられる。すなわち、照明器具１００（本体１０６）は、フランジ１０２及び取付板１０１を介して取付面に取り付けられる。また、照明器具１００を取付面に取り付ける際には、取付面を防水するためのフランジパッキン１０３がフランジと壁面との間に配置される。
【００１６】
本体１０６の内部には、ＬＥＤ１０４（光源）が装着されたＬＥＤユニット１２０が収納される。また、本体１０６の内部には、ＬＥＤユニット１２０を点灯するためのＬＥＤ電源ユニット１０５が収納される。ＬＥＤユニット１２０は、例えば、ＬＥＤ１０４を装着した円形のＬＥＤ基板である。ＬＥＤユニット１２０は、ＬＥＤ１０４を囲むように形成された反射板１０７ａを備える。反射板１０７ａは、底部にＬＥＤ１０４を備え、ＬＥＤ１０４の照射方向側に広がって形成されたお椀形状である。また、ＬＥＤ１０４の照射方向側には、例えば、ＬＥＤ１０４の光を集光する集光レンズであるレンズ１０７ｂ（第１の光透過部）を備えている。レンズ１０７ｂは、ＬＥＤ１０４の光を拡散する拡散レンズでもよい。
【００１７】
本体１０６は、照射方向側の端面である本体下面１１５が開口しており、本体下面１１５の開口からＬＥＤ１０４の発する光を外部に照射する。
【００１８】
カバー１０８は、弾性を有するとともに光を透過する材料、例えば、シリコン等で一体成形されており、カバー下面１１４により照射方向側が塞がれた構造である。カバー１０８は、カバー下面１１４が塞がれた茶筒蓋形状でもよい。あるいは、カバー側壁１２１から照射方向側に延設されたカバー延設部１２５を備えていてもよい。
【００１９】
カバー１０８は、本体１０６の本体下面１１５側の本体端部であってＬＥＤ１０４（光源）の照射方向側の本体端部に被せるカバーである。カバー１０８は、カバー下面１１４及びカバー側壁１２１及びカバー延設部１２５から、ＬＥＤ１０４により発せられた光を通過させて照明器具１００の外部に照射し、照明器具１００の照明とする。
【００２０】
本体１０６は、本体下面１１５（本体端部）の近傍の本体側面１１６の外周に形成された環状の本体溝部１１２を備える。また、カバー１０８は、カバー開口部１２２を形成するカバー周縁部１２２ａからカバー周縁部１２２ａの内周（内側）に突き出した環状のカバー突出部１１３（突出部）であって、本体下面１１５（本体端部）に被せた場合に本体溝部１１２と係合するとともに本体溝部１１２を充填するカバー突出部１１３を備える。本体１０６にカバー１０８を取り付ける取付方法については後述する。
【００２１】
図４は、実施の形態１に係る本体１０６とカバー１０８との取付部分の斜視図である。図５は、実施の形態１に係る本体１０６とカバー１０８との取付部分の断面図であり、本体１０６とカバー１０８との取付方法を示す図である。図４及び図５を用いて、照明器具１０における本体１０６とカバー１０８との取付構造及び防水構造について説明する。
【００２２】
図４及び図５に示すように、本体溝部１１２は、本体下面１１５近傍の本体側面１１６の外周にわたって環状に連続して形成されている。本体溝部１１２は、断面Ｖ字状の溝である。本体溝部１１２の内径（以下、溝内径、深さ内径ともいう）はＬａである。また、本体溝部１１２の幅（長手方向の幅）をｈ１、溝の深さをｈ３とする（図５参照）。
【００２３】
カバー突出部１１３は、カバー周縁部１２２ａの内周にわたって環状に連続して形成されている。カバー突出部１１３は、断面半円状の突出部（球状の突起部）である。カバー突出部１１３の突出部内径はＬｂである。また、カバー突出部１１３の幅（長手方向の幅）をｈ２とし、突出部分幅をｈ４とする。
【００２４】
図５に示すように、カバー突出部１１３を本体溝部１１２に係合させることにより、カバー１０８が本体１０６に取り付けられる。上述したように、カバー１０８は、弾力性のを有するシリコン等により形成されている。したがって、カバー１０８を本体１０６に装着する場合には、カバー１０８のカバー開口部１２２を広げて、カバー開口部１２２に本体端部を挿入する。そして、カバー突出部１１３を本体溝部１１２に係合させて、カバー１０８を本体１０６に取り付ける。
【００２５】
図５では、実線かつ斜線のハッチングで示すカバー１０８が、本体１０６に取り付けられると、２点鎖線かつ格子のハッチングで示した状態となることを示している。
【００２６】
本体１０６に溝加工がされ、本体溝部１１２が形成されているため、カバー１０８を取り付ける際の位置決めの役割を果たし、カバー１０８の誤取付を防止することができる。また、本体溝部１１２は、カバー突出部１１３が本体溝部１１２に引っかかるため、カバー１０８が本体１０６から抜けてしまう（外れてしまう）のを防止する役割も果たす。
【００２７】
ここで、本体１０６とカバー１０８とは、Ｌａ＞Ｌｂの関係となるように形成する。つまり、本体溝部１１２の内径Ｌａが、カバー突出部１１３の突出部内径Ｌｂより大きくなるように形成する。これにより、カバー１０８は、通常時よりもカバー開口部１２２が広げられた状態で本体１０６に取り付けられるので、カバー開口部１２２のカバー周縁部１２２ａ近傍には内側に縮まろうとする力（収縮力Ｐ）が生ずる。したがって、本体１０６に取り付けられた場合に、カバー突出部１１３は本体溝部１１２を内側に押している状態となり、カバー突出部１１３が確実に本体溝部１１２に密着する構造となる。
【００２８】
このように、本体溝部１１２とカバー突出部１１３とが密着し、本体溝部１１２がカバー突出部１１３により充填される。カバー突出部１１３は、シリコン等の弾性体であるため、収縮力Ｐによって本体溝部１１２に押圧されることにより本体溝部１１２の溝の形に変形し、本体溝部１１２を充填する。このように、本体溝部１１２とカバー突出部１１３との係合部分は、密着性、充填性が高いため、防水性が向上する。
【００２９】
カバー突出部１１３の突出部内径Ｌｂの大きさは、カバー１０８自体の大きさに応じて変化する。本体溝部１１２の内径Ｌａは、突出部内径Ｌｂに対して１０％〜１５％程度大きくするのがよい。あるいは、溝内径Ｌａは、突出部内径Ｌｂに対して５％〜１０％程度大きくしてもよい。これにより、カバー突出部１１３が本体溝部１１２と密着して完全に潰れ、本体１０６に完全に密着し、防水性を確保する。
【００３０】
また、カバー突出部１１３の幅ｈ２は、本体溝部１１２の幅ｈ１よりもやや大きく形成する。ｈ１≒ｈ２でもよいが、密着性、充填性を高めるためにはｈ２はｈ１よりもやや大きく形成するのが好ましい。
【００３１】
また、カバー突出部１１３の突出部分幅ｈ４は、本体溝部１１２の深さｈ３よりもやや大きく形成する。ｈ３≒ｈ４でもよいが、密着性、充填性を高めるためにはｈ４はｈ３よりもやや大きく形成するのが好ましい。
【００３２】
図５に示すように、カバー延設部１２５を含むカバー側壁１２１の断面は、断面の幅が照射方向側に徐々に広くなっている。つまり、Ｌ４＞Ｌ３の関係である。このように形成することで、突出部内径Ｌｂが本体溝部１１２の溝内径Ｌａより小さくなるように形成しても、カバー１０８の径Ｌ２と本体１０６の径Ｌ１とを等しくすることができるので、意匠性を向上させることができる。また、カバー１０８の弾力性も向上するので、より密着性、充填性が高まる。また、カバー１０８自体の強度を向上させることができる。
【００３３】
以上のように、本実施の形態の照明器具１００は、カバー突出部１１３（突起部）の断面形状は球状に成形されており、本体溝部１１２の断面形状はＶ字に加工されており、突起部が確実に溝部に接触する構造となっている。したがって、カバー突出部１１３が本体溝部１１２に十分に密着するとともに本体溝部１１２を完全に充填するので、雨などの水分が照明器具１００の内部に浸入しない確実な防水構造とすることができる。
【００３４】
また、本実施の形態の照明器具１００によれば、パッキン等の別部品を必要としないので、部品点数を減らすことができる。
【００３５】
また、本実施の形態の照明器具１００によれば、カバー１０８は、シリコン等により一体形成されているので、取付方法も簡単となり作業性が向上する。このような構造とすることでＬＥＤ照明器具を容易に防水器具にすることができる。
【００３６】
また、本実施の形態の照明器具１００によれば、カバー１０８がシリコン等により一体形成されているので、ネジ等が露出することなく、意匠性が向上する。ここで、密着構造が確保されるのであれば突起部及び溝部形状は角状でもよい。
【００３７】
実施の形態２．
【００３８】
図６は、実施の形態２に係る本体溝部１１２の断面形状のバリエーションを示す図である。
【００３９】
図６（ａ）は、本体溝部１１２の断面形状が直角三角形形状となっている。照明器具１００が取付面等に取り付けられた場合に、本体溝部１１２の底面が略水平な面となるように、本体溝部１１２を形成する。これにより、カバー１０８の抜け防止、落下防止の効果が向上する。
【００４０】
図６（ｂ）は、本体溝部１１２の断面形状が凹字状となっている。この場合も本体溝部１１２の底面が略水平な面となるので、カバー１０８の抜け防止、落下防止の効果が向上する。
【００４１】
本体溝部１２の断面形状を曲面上、球面状、半円状にしてもよい。あるいは、カバー突出部１１３の断面形状を、三角状、四角状、多角形状等にしてもよい。本体溝部１１２とカバー突出部１１３との係合部分の密着性、本体溝部１１２に対するカバー突出部１１３の充填性等が向上するのであれば、カバー突出部１１３の断面形状と本体溝部１２の断面形状とはどのような組み合わせで形成してもかまわない。
【００４２】
実施の形態３．
本実施の形態では、ＬＥＤユニット１２０（図２参照）に、光を第１の変換方法により変換するレンズ１０７ｂ（第１の光変換部）を備え、カバー１０８に、光を第２の変換方法により変換するカバー下面１１４（第２の光変換部）を備えた照明器具１００ａについて説明する。上述した実施の形態で説明した構成と同様の構成には、同一の符号を付し、その説明を省略する。
【００４３】
図７は、実施の形態３に係る照明器具１００ａの正面図であり、（ａ）はカバー１０８を取り外した状態の図、（ｂ）はカバー１０８を取り付けた状態の図である。本実施の形態では、実施の形態１で説明した図２及び図７を用いて、集光タイプと拡散タイプとを切り替えることのできる照明器具１００ａについて説明する。
【００４４】
本体１０６は、ＬＥＤ１０４の発する光を第１の変換方法により変換して通過させるレンズ１０７ｂ（第１の光変換部）を本体下面１１５近傍に備える。カバー１０８は、ＬＥＤ１０４から発せられてレンズ１０７ｂを通過した光を第１の変換方法とは異なる第２の変換方法により変換して通過させるカバー下面１１４（第２の光変換部）を備える。
【００４５】
例えば、レンズ１０７ｂは、集光タイプのレンズである。また、例えば、カバー１０８のカバー下面１１４は、拡散タイプのレンズあるいは拡散タイプの光透光部材である。このように、レンズ１０７ｂとカバー下面１１４とを構成することにより、照明器具１００ａは、カバー１０８を装着した状態（図７（ａ））では拡散タイプの照明器具となり、カバー１０８取り外した状態（図７（ｂ））では集光タイプの照明器具となる。
【００４６】
あるいは、レンズ１０７ｂは、拡散タイプのレンズあり、カバー下面１１４は集光タイプのレンズあるいは光透光部材であるとしてもよい。この場合には、照明器具１００ａは、カバー１０８を装着した状態では集光タイプの照明器具となり、カバー１０８取り外した状態では拡散タイプの照明器具となる。
【００４７】
以上のように、本実施の形態の照明器具１００ａによれば、カバー１０８の着脱という簡単な操作により照明器具の光の照射方法を変更可能である。したがって、簡単な構成により複数のタイプの照明器具を得ることができる。また、カバーを取り外した場合には本体溝部１１２が露出するが、この場合には本体に加工されている本体溝部１１２は意匠（模様）としての役割もある。
【００４８】
以上のように、実施の形態１〜３に係る照明器具１００，１００ａは、壁面などに取付られ、レンズにより下方向のみに配光制御されたＬＥＤ照明器具である。照明器具１００，１００ａの灯体（本体１０６）に設けられた溝部分（本体溝部１１２）に、防水機能と光を拡散させる機能とを持ったセード（カバー１０８）を備えることを特徴とする。
【００４９】
また、実施の形態１〜３に係る照明器具１００，１００ａは、屋内で使用する場合、セードを取り付けると拡散タイプとなり、取り外すと集光タイプとなることを特徴とする。あるいは、実施の形態１〜３に係る照明器具１００，１００ａは、セードを取り付けると集光タイプとなり、取り外すと拡散タイプとすることもできる。また、集光タイプから拡散タイプへの変更が容易に可能とすることを目的とする。
【００５０】
本発明によれば、意匠性及び防水性の確保が可能となる。また、屋内で使用する場合、集光タイプと拡散タイプの両方に対応可能とすることができる。
【００５１】
上記実施の形態１〜３では、照明器具１００，１００ａは、円柱形、円筒形であり、例えば、茶筒型、お櫃型の形状であるものとして説明した。しかし、例えば、三角柱、四角柱、六角柱等の角柱形状の照明器具でも実施の形態１〜３は適用可能である。あるいは、楕円柱等の柱状の形状の照明器具において実施の形態１〜３は適用可能である。
【００５２】
以上、実施の形態１〜３について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００５３】
１００，１００ａ  照明器具、１０１  取付板、１０２  フランジ、１０２ａ  ネジ、１０３  フランジパッキン、１０４  ＬＥＤ、１０５  ＬＥＤ電源ユニット、１０６  本体、１０７ａ  反射板、１０７ｂ  レンズ、１０８  カバー、１０９  天面板、１１０  天面防水パッキン、１１１  ネジ、１１２  本体溝部、１１３  カバー突出部、１１４  カバー下面、１１５  本体下面、１１６  本体側面、１１９  端面、１２０  ＬＥＤユニット、１２１  カバー側壁、１２２  カバー開口部、１２２ａ  カバー周縁部、１２４  カバー下面開口、１２５  カバー延設部。
【図１】
2012033356.tif 000003
【図２】
2012033356.tif 000004
【図３】
2012033356.tif 000005
【図４】
2012033356.tif 000006
【図５】
2012033356.tif 000007
【図６】
2012033356.tif 000008
【図７】
2012033356.tif 000009